(57)【特許請求の範囲】
【請求項１】
その上に原稿を配置可能な透明板と、
前記透明板の下方側であって、前記原稿の画像の読み取り面に垂直な第一の平面で分けられる一方側の領域に位置し、前記原稿の画像の読み取り位置に対して斜め方向から光を照射する第一の光照射部と、
前記第一の光照射部と別途設けられており、前記透明板の下方側であって、前記第一の平面で分けられる他方側の領域に位置し、前記原稿の画像の読み取り位置に対して斜め方向から光を照射する第二の光照射部と、
前記第一の光照射部および前記第二の光照射部の双方が前記原稿の画像に照射した光の反射光を受光可能な受光部と、
前記第一の光照射部および前記第二の光照射部の双方が前記原稿に照射した光の反射光を受光して前記原稿の第一の画像情報を取得する第一の画像情報取得部と、
前記第一の光照射部が前記原稿に照射した光の反射光を受光して前記原稿の第二の画像情報を取得する第二の画像情報取得部と、
前記第二の光照射部が前記原稿に照射した光の反射光を受光して前記原稿の第三の画像情報を取得する第三の画像情報取得部と、
取得された前記第一の画像情報、前記第二の画像情報、および前記第三の画像情報から、前記原稿の折り目の情報を導出する折り目情報導出部とを備え、
前記第一の光照射部および前記第二の光照射部はそれぞれ光の三原色のそれぞれの色の光を個別に照射可能であり、
前記第一の画像情報取得部は、前記光の三原色のうちの第一の色に相当する第一の光を前記第一の光照射部および前記第二の光照射部から同じ光量で前記原稿に照射し、前記原稿からの反射光を受光して前記原稿の第一の画像情報を取得し、
前記第二の画像情報取得部は、前記第一の光照射部により前記光の三原色のうちの第二の色に相当する第二の光を前記第二の光照射部により照射する光の光量よりも高くして前記原稿に照射し、前記原稿からの反射光を受光して前記原稿の第二の画像情報を取得し、
前記第三の画像情報取得部は、前記第二の光照射部により前記光の三原色のうちの第三の色に相当する第三の光を前記第一の光照射部により照射する光の光量よりも高くして前記原稿に照射し、前記原稿からの反射光を受光して前記原稿の第三の画像情報を取得し、
前記折り目情報導出部は、前記第一の画像情報に影が生じておらず、かつ、前記第二の画像情報あるいは前記第三の画像情報に影が生じている場合は、カラー画像原稿に折り目があると判定する、画像読み取り装置。
【請求項２】
前記折り目情報導出部は、前記第一の画像情報と前記第二の画像情報との差分、および前記第一の画像情報と前記第三の画像情報の差分から、前記原稿の折り目の位置の情報および前記原稿の折り目の有無の情報を導出する、請求項１に記載の画像読み取り装置。
【請求項３】
前記載置台の下方側に配置され、副走査方向に移動可能なキャリッジを備え、
前記第一の光照射部および前記第二の光照射部は、前記キャリッジに設けられる、請求項１または２に記載の画像読み取り装置。
【請求項４】
原稿の画像を読み取る画像読み取り装置と、前記画像読み取り装置により読み取られた画像を基に画像を形成する画像形成部とを備える画像形成装置であって、
前記画像読み取り装置は、
その上に原稿を配置可能な透明板と、
前記透明板の下方側であって、前記原稿の画像の読み取り面に垂直な第一の平面で分けられる一方側の領域に位置し、前記原稿の画像の読み取り位置に対して斜め方向から光を照射する第一の光照射部と、
前記第一の光照射部と別途設けられており、前記透明板の下方側であって、前記第一の平面で分けられる他方側の領域に位置し、前記原稿の画像の読み取り位置に対して斜め方向から光を照射する第二の光照射部と、
前記第一の光照射部および前記第二の光照射部の双方が前記原稿の画像に照射した光の反射光を受光可能な受光部と、
前記第一の光照射部および前記第二の光照射部の双方が前記原稿に照射した光の反射光を受光して前記原稿の第一の画像情報を取得する第一の画像情報取得部と、
前記第一の光照射部が前記原稿に照射した光の反射光を受光して前記原稿の第二の画像情報を取得する第二の画像情報取得部と、
前記第二の光照射部が前記原稿に照射した光の反射光を受光して前記原稿の第三の画像情報を取得する第三の画像情報取得部と、
取得された前記第一の画像情報、前記第二の画像情報、および前記第三の画像情報から、前記原稿の折り目の情報を導出する折り目情報導出部とを備え、
前記第一の光照射部および前記第二の光照射部はそれぞれ光の三原色のそれぞれの色の光を個別に照射可能であり、
前記第一の画像情報取得部は、前記光の三原色のうちの第一の色に相当する第一の光を前記第一の光照射部および前記第二の光照射部から同じ光量で前記原稿に照射し、前記原稿からの反射光を受光して前記原稿の第一の画像情報を取得し、
前記第二の画像情報取得部は、前記第一の光照射部により前記光の三原色のうちの第二の色に相当する第二の光を前記第二の光照射部により照射する光の光量よりも高くして前記原稿に照射し、前記原稿からの反射光を受光して前記原稿の第二の画像情報を取得し、
前記第三の画像情報取得部は、前記第二の光照射部により前記光の三原色のうちの第三の色に相当する第三の光を前記第一の光照射部により照射する光の光量よりも高くして前記原稿に照射し、前記原稿からの反射光を受光して前記原稿の第三の画像情報を取得し、
前記折り目情報導出部は、前記第一の画像情報に影が生じておらず、かつ、前記第二の画像情報あるいは前記第三の画像情報に影が生じている場合は、カラー画像原稿に折り目があると判定する、画像形成装置。
【請求項５】
前記折り目情報導出部により導出された前記原稿の折り目の情報を基に、前記画像形成部により形成する画像の補正を行うよう制御する制御部を備える、請求項４に記載の画像形成装置。
【発明の詳細な説明】
【技術分野】
【０００１】
この発明は、画像読み取り装置、および画像形成装置に関するものである。
【背景技術】
【０００２】
デジタル複合機等に代表される画像形成装置においては、画像読み取り装置で原稿の画像を読み取った後、画像形成部に備えられる感光体に対して読み取った画像を基に光を照射し、感光体上に静電潜像を形成する。その後、形成した静電潜像の上に帯電したトナー等の現像剤を供給して可視画像とした後、用紙に転写して定着させ、装置外に排出する。
【０００３】
ここで、原稿の画像の読み取りに関する技術が、特開２００５−２１４７３４号公報（特許文献１）、特開２００６−２５３９６２号公報（特許文献２）、特開２００８−２８９９２号公報（特許文献３）、特開２００８−２７１００９号公報（特許文献４）、および特開２０１０−２４３６６６号公報（特許文献５）に開示されている。
【０００４】
特許文献１によると、用紙に対し光を照射する照明手段と、対応する反射光を読み取って用紙を撮像する撮像手段と、照明手段および撮像手段を用いて、用紙に対して互いに異なる照射角度または反射角度で撮像された複数の検査画像データを生成する検査画像生成手段と、複数の検査画像の比較を行って、用紙に形成された紙皺の検出を行う検出手段とを備える紙皺検査装置が開示されている。
【０００５】
特許文献２によると、原稿に存在する平面的な情報および立体的な情報を読み取る第１のモードと、原稿に存在する立体的な情報を抑圧して平面的な情報を読み取る第２のモードと、第１のモードと第２のモードとの切り替えを制御する制御手段とを含むことを特徴とする画像読み取り装置が開示されている。
【０００６】
特許文献３には、原稿を載置する原稿台の下方に、原稿台に密着して配設されるセンサーと、原稿の読み取り領域に対して、斜め下方から光を照射する第１の光源と、前記センサーを挟んで第１の光源の反対の位置に配設され、第１の光源から照射される光の方向と反対の斜め下方から、原稿の読み取り領域に対して光を照射する第２の光源とを備える画像読み取り装置が開示されている。画像読み取り装置は、原稿が貼り合わせ原稿でないときには、第１の光源が点灯され、原稿が貼り合わせ原稿であるときには、第１の光源および第２の光源が点灯されることを特徴としている。
【０００７】
特許文献４に開示の線状光源装置は、樹脂により一体形成され、所定間隔を隔てて互いに平行に延びる略円柱状の第１および第２の直線部をそれらの一端側で連結して略Ｕ字状とされた導光体と、第１および第２の直線部の少なくともいずれか一方の他端部に対向して配置されたＬＥＤ発光装置とを備える。線状光源装置において、第１および第２の直線部の外周面には、これらの直線部の軸線を含む基準平面の一方側において、複数の凹部または凸部が形成された帯状の反射領域が設けられており、かつ、第１および第２の直線部の横断面において、各直線部の中心と各反射領域の幅方向中心とをつなぐ直線が、基準平面の一方側に向かうほど互いの間隔が拡がっていることを特徴としている。
【０００８】
特許文献５に開示の制御装置は、原稿を光学的に読み取る画像読み取り装置を制御する。制御装置は、画像読み取り装置に設けられた第１および第２の照明部であって、線状の発行領域をそれぞれ形成し、相互に交差する方向から原稿に光を照射する第１および第２の照明部を制御する照明制御部を備える。照明制御部は、第１および第２の照明部の一方で原稿を照射する第１のモードで、第１および第２の照明部を制御する第１モード部と、第１および第２の照明部の両方で原稿を照射する第２のモードで、第１および第２の照明部を制御する第２モード部と、原稿を光学的に読み取る際に、第１および第２のモードのいずれかを、ユーザーからの指示入力に基づいて選定するモード選定部とを含むこととしている。
【先行技術文献】
【特許文献】
【０００９】
【特許文献１】特開２００５−２１４７３４号公報
【特許文献２】特開２００６−２５３９６２号公報
【特許文献３】特開２００８−２８９９２号公報
【特許文献４】特開２００８−２７１００９号公報
【特許文献５】特開２０１０−２４３６６６号公報
【発明の概要】
【発明が解決しようとする課題】
【００１０】
原稿の画像を読み取る際に、原稿の折り目や原稿のシワが存在する影響で、読み取られる画像に影の画像が含まれてしまう場合がある。このような状況は、例えば、原稿の画像を忠実に読み取ることが求められる場合、もちろん好ましくない。したがって、原稿の折り目の有無や原稿の折り目の位置といった原稿の折り目に関する情報を高精度に取得する必要がある。原稿の折り目に関する情報を高精度に取得できれば、例えば、原稿の折り目の存在に基づいて原稿の画像の読み取り時に形成される影の画像と実際に原稿の画像に含まれる画像とを明確に識別することができ、補正の処理を行って、精度の高い画像形成を行うことができる。特許文献１〜特許文献５に開示の技術では、原稿の折り目に関する情報について、高精度に取得することができない。
【００１１】
この発明の目的は、原稿の折り目に関する情報を高精度に取得することができる画像読み取り装置を提供することである。
【００１２】
この発明の他の目的は、精度の高い画像形成を行うことができる画像形成装置を提供することである。
【課題を解決するための手段】
【００１３】
この発明の一の局面においては、画像読み取り装置は、透明板と、第一の光照射部と、第二の光照射部と、受光部と、第一の画像情報取得部と、第二の画像情報取得部と、第三の画像情報取得部と、折り目情報導出部とを備える。透明板は、その上に原稿を配置可能である。第一の光照射部は、透明板の下方側であって、原稿の画像の読み取り面に垂直な第一の平面で分けられる一方側の領域に位置し、原稿の画像の読み取り位置に対して斜め方向から光を照射する。第二の光照射部は、第一の光照射部と別途設けられている。第二の光照射部は、透明板の下方側であって、第一の平面で分けられる他方側の領域に位置し、原稿の画像の読み取り位置に対して斜め方向から光を照射する。受光部は、第一の光照射部および第二の光照射部の双方が原稿の画像に照射した光の反射光を受光可能である。第一の画像情報取得部は、第一の光照射部および第二の光照射部の双方が原稿に照射した光の反射光を受光して原稿の第一の画像情報を取得する。第二の画像情報取得部は、第一の光照射部が原稿に照射した光の反射光を受光して原稿の第二の画像情報を取得する。第三の画像情報取得部は、第二の光照射部が原稿に照射した光の反射光を受光して原稿の第三の画像情報を取得する。折り目情報導出部は、取得された第一の画像情報、第二の画像情報、および第三の画像情報から、原稿の折り目の情報を導出する。第一の光照射部および第二の光照射部はそれぞれ光の三原色のそれぞれの色の光を個別に照射可能である。第一の画像情報取得部は、光の三原色のうちの第一の色に相当する第一の光を第一の光照射部および第二の光照射部から同じ光量で原稿に照射し、原稿からの反射光を受光して原稿の第一の画像情報を取得する。第二の画像情報取得部は、第一の光照射部により光の三原色のうちの第二の色に相当する第二の光を第二の光照射部により照射する光の光量よりも高くして原稿に照射し、原稿からの反射光を受光して原稿の第二の画像情報を取得する。第三の画像情報取得部は、第二の光照射部により光の三原色のうちの第三の色に相当する第三の光を第一の光照射部により照射する光の光量よりも高くして原稿に照射し、原稿からの反射光を受光して原稿の第三の画像情報を取得する。折り目情報導出部は、第一の画像情報に影が生じておらず、かつ、第二の画像情報あるいは第三の画像情報に影が生じている場合は、カラー画像原稿に折り目があると判定する。なお、ここで、原稿の折り目については、原稿に生じたシワも原稿の折り目に含まれるものとする。
【００１４】
この発明の他の局面においては、画像形成装置は、原稿の画像を読み取る画像読み取り装置と、画像読み取り装置により読み取られた画像を基に画像を形成する画像形成部とを備える。画像読み取り装置は、透明板と、第一の光照射部と、第二の光照射部と、受光部と、第一の画像情報取得部と、第二の画像情報取得部と、第三の画像情報取得部と、折り目情報導出部とを備える。透明板は、その上に原稿を配置可能である。第一の光照射部は、透明板の下方側であって、原稿の画像の読み取り面に垂直な第一の平面で分けられる一方側の領域に位置し、原稿の画像の読み取り位置に対して斜め方向から光を照射する。第二の光照射部は、第一の光照射部と別途設けられている。第二の光照射部は、透明板の下方側であって、第一の平面で分けられる他方側の領域に位置し、原稿の画像の読み取り位置に対して斜め方向から光を照射する。受光部は、第一の光照射部および第二の光照射部の双方が原稿の画像に照射した光の反射光を受光可能である。第一の画像情報取得部は、第一の光照射部および第二の光照射部の双方が原稿に照射した光の反射光を受光して原稿の第一の画像情報を取得する。第二の画像情報取得部は、第一の光照射部が原稿に照射した光の反射光を受光して原稿の第二の画像情報を取得する。第三の画像情報取得部は、第二の光照射部が原稿に照射した光の反射光を受光して第三の画像情報を取得する。折り目情報導出部は、取得された第一の画像情報、第二の画像情報、および第三の画像情報から、原稿の折り目の情報を導出する。第一の光照射部および第二の光照射部はそれぞれ光の三原色のそれぞれの色の光を個別に照射可能である。第一の画像情報取得部は、光の三原色のうちの第一の色に相当する第一の光を第一の光照射部および第二の光照射部から同じ光量で原稿に照射し、原稿からの反射光を受光して原稿の第一の画像情報を取得する。第二の画像情報取得部は、第一の光照射部により光の三原色のうちの第二の色に相当する第二の光を第二の光照射部により照射する光の光量よりも高くして原稿に照射し、原稿からの反射光を受光して原稿の第二の画像情報を取得する。第三の画像情報取得部は、第二の光照射部により光の三原色のうちの第三の色に相当する第三の光を第一の光照射部により照射する光の光量よりも高くして原稿に照射し、原稿からの反射光を受光して原稿の第三の画像情報を取得する。折り目情報導出部は、第一の画像情報に影が生じておらず、かつ、第二の画像情報あるいは第三の画像情報に影が生じている場合は、カラー画像原稿に折り目があると判定する。
【発明の効果】
【００１５】
このような画像読み取り装置によると、取得した第一の画像情報、第二の画像情報、および第三の画像情報により、第一の画像情報と第二の画像情報との差分、および第一の画像情報と第三の画像情報との差分を算出して、原稿の折り目に関する情報を導出することができる。したがって、原稿の折り目に関する情報を高精度に取得することができる。
【００１６】
また、このような画像形成装置は、原稿の折り目に関する情報を高精度に取得することができる画像読み取り装置を含むため、精度の高い画像形成を行うことができる。
【図面の簡単な説明】
【００１７】
【図１】この発明の一実施形態に係る画像読み取り装置を備える画像形成装置をデジタル複合機に適用した場合のデジタル複合機の外観を示す概略図である。
【図２】この発明の一実施形態に係る画像読み取り装置を備える画像形成装置をデジタル複合機に適用した場合のデジタル複合機の構成を示すブロック図である。
【図３】操作部の概略的な構成を示す外観図である。
【図４】ＡＤＦを含む画像読み取り装置の一部を示す概略断面図である。
【図５】画像読み取り装置に備えられる載置台を上方側から見た概略図である。
【図６】画像読み取り装置の一部を拡大して示す拡大断面図である。
【図７】デジタル複合機を用いて載置台上に載置された原稿の画像を読み取り、画像を形成する場合の処理の流れを示すフローチャートである。
【図８】第一のスキャン時における原稿の状態と得られる画像との関係を示す図である。
【図９】第二のスキャン時における原稿の状態と得られる画像との関係を示す図である。
【図１０】第三のスキャン時における原稿の状態と得られる画像との関係を示す図である。
【図１１】カラーの画像読み取りのスキャン時における原稿の状態と得られる画像との関係を示す図である。
【発明を実施するための形態】
【００１８】
以下、この発明の実施の形態を説明する。図１は、この発明の一実施形態に係る画像読み取り装置を備える画像形成装置をデジタル複合機に適用した場合のデジタル複合機の外観を示す概略図である。図２は、この発明の一実施形態に係る画像読み取り装置を備える画像形成装置をデジタル複合機に適用した場合のデジタル複合機の構成を示すブロック図である。
【００１９】
図１および図２を参照して、デジタル複合機１１は、制御部１２と、操作部１３と、画像読み取り装置１４と、画像形成部１５と、用紙セット部１９と、排出トレイ３０と、格納部としてのハードディスク１６と、ファクシミリ通信部１７と、ネットワーク２５と接続するためのネットワークインターフェース部１８とを備える。
【００２０】
制御部１２は、デジタル複合機１１全体の制御を行う。操作部１３は、デジタル複合機１１側から発信する情報やユーザーの入力内容を表示する表示画面２１を含む。操作部１３は、印刷部数や階調性等の画像形成の条件や電源のオンまたはオフを入力させる。画像読み取り装置１４は、セット位置にセットされた原稿を読み取り位置に搬送する原稿搬送装置としてのＡＤＦ（Ａｕｔｏ  Ｄｏｃｕｍｅｎｔ  Ｆｅｅｄｅｒ）２２を含む。画像読み取り装置１４は、ＡＤＦ２２または載置台上にセットされた原稿の画像を読み取る。用紙セット部１９は、手差しで用紙をセットする手差しトレイ２８やサイズの異なる複数枚の用紙を収納可能な給紙カセット群２９を含む。用紙セット部１９は、画像形成部１５に供給する用紙をセットさせる。画像形成部１５は、画像読み取り装置１４により読み取られた画像やネットワーク２５を介して送信された画像データを基に、搬送されてきた用紙に画像を形成する。画像形成部１５により画像を形成された用紙は、排出トレイ３０に排出される。ハードディスク１６は、送信された画像データや入力された画像形成条件等の格納を行う。ファクシミリ通信部１７は、公衆回線２４に接続されており、ファクシミリ送信やファクシミリ受信を行う。
【００２１】
なお、デジタル複合機１１は、画像データの書き出しや読み出しを行うＤＲＡＭ（Ｄｙｎａｍｉｃ  Ｒａｎｄｏｍ  Ａｃｃｅｓｓ  Ｍｅｍｏｒｙ）等を備えるが、これらについては、図示および説明を省略する。また、図２中の矢印は、制御信号や制御、画像に関するデータの流れを示している。なお、図１に示すように、この実施形態においては、給紙カセット群２９は、３つの給紙カセット２３ａ、２３ｂ、２３ｃから構成されている。
【００２２】
デジタル複合機１１は、画像読み取り装置１４により読み取られた原稿を用いて画像形成部１５において画像を形成することにより、複写機として作動する。また、デジタル複合機１１は、ネットワークインターフェース部１８を通じて、ネットワーク２５に接続されたコンピューター２６ａ、２６ｂ、２６ｃから送信された画像データを用いて、画像形成部１５において画像を形成して用紙に印刷することにより、プリンターとして作動する。すなわち、画像形成部１５は、要求された画像を印刷する印刷部として作動する。デジタル複合機１１は、ファクシミリ通信部１７を通じて、公衆回線２４から送信された画像データを用いて、ＤＲＡＭを介して画像形成部１５において画像を形成することにより、また、画像読み取り装置１４により読み取られた原稿の画像データを、ファクシミリ通信部１７を通じて公衆回線２４に画像データを送信することにより、ファクシミリ装置として作動する。デジタル複合機１１は、画像処理に関し、複写機能、プリンター機能、ファクシミリ機能等、複数の機能を有する。さらに、各機能に対しても、詳細に設定可能な機能を有する。
【００２３】
この発明の一実施形態に係るデジタル複合機１１を含む画像形成システム２７は、上記した構成のデジタル複合機１１と、ネットワーク２５を介してデジタル複合機１１に接続される複数のコンピューター２６ａ、２６ｂ、２６ｃとを備える。この実施形態においては、複数のコンピューター２６ａ〜２６ｃについては、３台示している。各コンピューター２６ａ〜２６ｃはそれぞれ、デジタル複合機１１に対して、ネットワーク２５を介して印刷要求を行って印刷をすることができる。デジタル複合機１１とコンピューター２６ａ〜２６ｃとは、ＬＡＮ（Ｌｏｃａｌ  Ａｒｅａ  Ｎｅｔｗｏｒｋ）ケーブル等を用いて有線で接続されていてもよいし、無線で接続されていてもよく、ネットワーク２５内には、他のデジタル複合機やサーバーが接続されている構成でもよい。
【００２４】
次に、上記した操作部１３の構成について、さらに詳細に説明する。図３は、操作部１３の概略的な構成を示す外観図である。図３を参照して、操作部１３は、印刷部数等を入力させるための０〜９までの数字、および「＊」や「＃」の記号を入力させるテンキー３１と、印刷の開始やファクシミリ送信の開始を指示させるスタートキー３２と、デジタル複合機１１の電源のオンオフを入力させる電源キー３３と、デジタル複合機１１の有するプリンター機能やコピー機能等の選択を指示させるメニューキー３４と、種々の画像形成の条件や使用ユーザーの登録を指示させる登録キー３５と、テンキー３１等を用いてユーザーにより入力された指示の内容をキャンセルさせるリセットキー３６と、上記した表示画面２１とを含む。表示画面２１は、液晶のタッチパネル機能を有しており、ユーザーの指での押圧等により、表示画面２１からも画像形成条件等を入力させると共に、機能の選択等を行うことができる。
【００２５】
次に、デジタル複合機１１に備えられる画像読み取り装置１４の構成について、さらに詳細に説明する。図４は、ＡＤＦ２２を含む画像読み取り装置１４の一部を示す概略断面図である。図５は、画像読み取り装置１４に備えられる載置台を上方側から見た概略図である。図６は、画像読み取り装置１４の一部を拡大して示す拡大断面図である。なお、図５および図６において、理解の容易の観点から、部材のハッチングの図示を省略している。なお、図４〜図６における副走査方向を、矢印Ｄ１またはその逆の方向で示している。
【００２６】
図１〜図６を参照して、まず、画像読み取り装置１４に含まれるＡＤＦ２２の構成について説明する。ＡＤＦ２２は、搬送される複数の原稿３７をセットする原稿セット台４１と、原稿セット台４１にセットされた原稿３７を順次供給するピックアップローラー４２と、搬送する原稿３７を一枚ごとに分離する分離ローラー４３と、原稿３７を読み取り位置３８まで搬送する搬送ローラー４４、４５、４６と、読み取り位置３８で読取られた原稿３７を排紙する排紙ローラー４７と、排紙された原稿３７が載置される排紙トレイ４８とを含む。搬送ローラー４６は、白色の部材で構成されている。
【００２７】
次に、ＡＤＦ２２を含む画像読み取り装置１４の構成について説明する。画像読み取り装置１４は、画像を読み取る原稿３９を載置する載置台５１と、矢印Ｄ１またはその逆の方向で示す副走査方向に移動可能なキャリッジ５２と、主に画像読み取り装置１４の外形を構成する筐体５３と、原稿３９に光を照射する第一の光照射部５４ａ、および第二の光照射部５４ｂと、原稿３９からの反射光を集光する複数のミラー５５およびレンズ５６と、イメージセンサーとしてのＣＣＤ（Ｃｈａｒｇｅ  Ｃｏｕｐｌｅｄ  Ｄｅｖｉｃｅ）センサー５７と、載置台５１上に原稿３９を載置する際の基準位置６１を示す基準板５８と、基準板５８の横に設けられ、透明の部材で構成されるガラス板５９とを備える。受光部としてのＣＣＤセンサー５７は、第一の光照射部５４ａおよび第二の光照射部５４ｂの双方が原稿３９の画像に照射した光の反射光を受光可能である。
【００２８】
載置台５１は、その上に原稿３９を配置可能な透明板である。載置台５１は、筐体５３の開口部に嵌め込まれている。載置台５１としては、この実施形態では、コンタクトガラスを用いている。キャリッジ５２は、筐体５３内に平行に設けられた二本のガイドレール６２ａ、６２ｂにガイドされ、モーターからの動力を得て副走査方向に移動可能である。
【００２９】
キャリッジ５２には、載置台５１の下方領域から上側に向かって光を照射する第一の照射部５４ａ、および第二の光照射部５４ｂが設けられている。すなわち、第一および第二の光照射部５４ａ、５４ｂは、キャリッジ５２の移動と共に、副走査方向に移動する。
【００３０】
第一の光照射部５４ａは、いわゆる複数のＬＥＤ（Ｌｉｇｈｔ  Ｅｍｉｔｔｉｎｇ  Ｄｉｏｄｅ）を主走査方向に配置することにより構成されている。第二の光照射部５４ｂも同様の構成である。第一の光照射部５４ａと第二の光照射部５４ｂとは、副走査方向に間隔を開けて、キャリッジ５２に取り付けられている。第一の光照射部５４ａは、副走査方向において、原稿３９の読み取り位置６３に対し、矢印Ｄ１の方向で示す画像読み取り時のキャリッジ５２の移動方向の前側に配置される。第二の光照射部５４ｂは、副走査方向において、原稿３９の読み取り位置６３に対し、矢印Ｄ１と逆の方向で示す画像読み取り時のキャリッジ５２の移動方向の後ろ側に配置される。
【００３１】
画像読み取り時に、第一の光照射部５４ａは、原稿３９の読み取り位置６３に対して、斜め後ろ方向に光を照射する。具体的には、第一の光照射部５４ａが原稿３９に向かって照射する光Ｅ１の方向は、原稿３９の画像の読み取り面６４に垂直な第一の平面６５に対して鋭角の角度Ａ１で示される。第一の平面６５については、図６中の一点鎖線で示している。図４および図６に示す場合においては、第一の光照射部５４ａは、左斜め上方向に向かって光を照射する。照射された光を受けて反射する原稿３９からの反射光の方向は、第一の平面６５に沿う方向であり、図６中の矢印Ｅ３で示される。この矢印Ｅ３で示される方向に向かう反射光が、受光部としてのＣＣＤセンサー５７によって受光される。
【００３２】
画像読み取り時に、第二の光照射部５４ｂは、原稿３９の読み取り位置６３に対して、斜め前方向に光を照射する。具体的には、第二の光照射部５４ｂが原稿３９に向かって照射する光Ｅ２の方向は、第一の平面６５に対して鋭角の角度Ａ２で示される。図４および図６に示す場合においては、第二の光照射部５４ｂは、右斜め上方向に向かって光を照射する。照射された光を受けて反射する原稿３９からの反射光の方向は、第一の平面６５に沿う方向であり、図６中の矢印Ｅ３で示される。すなわち、第一の光照射部５４ａによって照射された光を受けて反射する反射光の方向と同じである。この矢印Ｅ３で示される方向に向かう反射光が、受光部としてのＣＣＤセンサー５７によって受光される。なお、この実施形態においては、角度Ａ１と角度Ａ２とは、同じ角度となるよう構成されている。
【００３３】
すなわち、第一の照射部５４ａは、載置台５１の下方側であって、第一の平面６５で分けられる一方側の領域６７ａに位置する。そして、第一の照射部５４ａは、原稿３９の画像の読み取り位置６３に対して斜め方向から光を照射する。また、第二の照射部５４ｂは、第一の光照射部５４ａと別途設けられており、載置台５１の下方側であって、第一の平面６５で分けられる他方側の領域６７ｂに位置する。そして、第二の光照射部５４ｂは、原稿３９の画像の読み取り位置６３に対して斜め方向から光を照射する。
【００３４】
キャリッジ５２は、載置台５１上に載置された原稿３９の画像を読み取る際に、副走査方向、具体的には、矢印Ｄ１の方向に移動する。第一の光照射部５４ａおよび第二の光照射部５４ｂは、キャリッジ５２の移動に伴って副走査方向に移動しながら、載置台５１側に向かって光を照射する。そして、受けた光により載置台５１側、具体的には、載置台５１の上に載置された原稿３９側から反射される反射光を複数のミラー５５およびレンズ５６によって集光する。集光した光をイメージセンサーとしてのＣＣＤセンサー５７に入力させることにより、載置台５１上に載置された原稿３９の画像を読み取る。このようにして、いわゆる原稿３９の画像のスキャンを行い、原稿３９の画像を読み取る。原稿３９の画像を読み取った後、補正等を行って画像形成部１５により画像を形成し、用紙等に出力する。
【００３５】
なお、ＡＤＦ２２によって搬送されてきた原稿３７の画像を読み取る際には、キャリッジ５２は、副走査方向において、ガラス板５９の位置に留められる。そして、読み取り位置３８で、ＡＤＦ２２によって搬送されてきた原稿３７の画像を読み取る。
【００３６】
画像読み取り装置１４は、白黒原稿はもちろん、カラー原稿における色情報についても読み取ることができる。なお、載置台５１に載置された原稿３９の画像の読み取りは、操作部１３に備えられたスタートキー３２の押下の検知を待って行われる。
【００３７】
次に、このような構成の画像読み取り装置１４を備えるデジタル複合機１１を用いて、載置台５１上に載置された原稿３９の画像を読み取って、画像を形成する場合について説明する。図７は、デジタル複合機１１を用いて載置台５１上に載置された原稿３９の画像を読み取り、画像を形成する場合の処理の流れを示すフローチャートである。
【００３８】
図１〜図７を参照して、まず、ユーザーは、載置台５１上に画像を読み取らせる原稿３９をセットする。この場合、基準位置６１に原稿３９の副走査方向の端を合わせて載置台５１の読み取り面６４上に載置する。
【００３９】
その後、ユーザーは、ＡＤＦ２２を兼ねる原稿押さえを閉じてスタートキー３２を押下する。制御部１２は、スタートキー３２の押下を検知する（図６において、ステップＳ１１、以下、「ステップ」を省略する）と、画像読み取り装置１４において、載置台５１に載置された原稿３９の画像の読み取りを開始する。
【００４０】
ここでは、まず、第一のスキャンを行う（Ｓ１２）。具体的には、第一の光照射部５４ａおよび第二の光照射部５４ｂの双方によって原稿３９に光を照射しながら、キャリッジ５２を基準位置６１から原稿３９の副走査方向の端部６６に至るまで矢印Ｄ１で示す方向に移動させる。そして、原稿３９からの反射光をＣＣＤセンサー５７によって受光する。
【００４１】
図８は、第一のスキャン時における原稿３９の状態と得られる画像との関係を示す図である。図８中の上側で、原稿３９の一部の断面および図６に相当する部分を示し、図８中の下側で、得られる画像７１ａを示す。原稿３９の中央の領域には、読み取り面６４側に突出する折り目６８が存在している。
【００４２】
図８を参照して、キャリッジ５２に設けられた第一の光照射部５４ａおよび第二の光照射部５４ｂは、双方とも点灯している。ここで、図８に示すように原稿３９の中央の領域に折り目６８がある場合、第一の光照射部５４ａおよび第二の光照射部５４ｂの双方によって原稿３９に光を照射しているため、原稿３９の折り目６８による影の画像が折り目６８の副走査方向の両側に表れない。すなわち、読み取られた原稿３９の画像７１ａとして、中央の領域７２の副走査方向の両側に影は生じない。このような画像７１ａをＣＣＤセンサー５７によって受光する。このようにして第一の画像情報を取得する。ここで、制御部１２は、第一の画像情報取得部として作動する。
【００４３】
キャリッジ５２を副走査方向の端部６６に至るまで移動させて画像７１ａを読み取った後、キャリッジ５２を再び基準位置６１に戻す。次に、第二のスキャンを行う（Ｓ１３）。第二のスキャンの内容としては、具体的には、第一の光照射部５４ａのみによって原稿３９に光を照射し、キャリッジ５２を基準位置６１から原稿３９の副走査方向の端部６６に至るまで移動させる。そして、原稿３９からの反射光をＣＣＤセンサー５７によって受光する。
【００４４】
図９は、第二のスキャン時における原稿３９の状態と得られる画像との関係を示す図である。図９中の上側で、原稿３９の一部の断面および図６に相当する部分を示し、図９中の下側で、得られる画像７１ｂを示す。図９は、図８に対応する図である。
【００４５】
図９を参照して、キャリッジ５２に設けられた第一の光照射部５４ａのみが点灯している。ここで、図９に示すように原稿３９の中央の領域に折り目６８がある場合、第一の光照射部５４ａのみによって光を照射しているため、キャリッジ５２の移動方向に対して折り目６８の後ろ側に第一の影７３ａが生じる。この折り目６８の存在によって中央の領域７２の後ろ側に生じた第一の影７３ａを含む画像７１ｂが、ＣＣＤセンサー５７によって受光される。このようにして第二の画像情報を取得する。ここで、制御部１２は、第二の画像情報取得部として作動する。なお、この第一の影７３ａは黒い画像で読み取られることとなるが、実際には、その部分に、例えば、灰色の画像やベタ黒の画像がなくとも黒い画像として読み取られることとなる。
【００４６】
キャリッジ５２を副走査方向の端部６６に至るまで移動させて画像７１ｂを読み取った後、キャリッジ５２を再び基準位置６１に戻す。次に、第三のスキャンを行う（Ｓ１４）。第三のスキャンの内容としては、具体的には、第二の光照射部５４ｂのみによって原稿３９に光を照射し、キャリッジ５２を基準位置６１から原稿３９の副走査方向の端部６６に至るまで移動させる。そして、原稿３９からの反射光をＣＣＤセンサー５７によって受光する。
【００４７】
図１０は、第三のスキャン時における原稿３９の状態と得られる画像との関係を示す図である。図１０中の上側で、原稿３９の一部の断面および図６に相当する部分を示し、図１０中の下側で、得られる画像７１ｃを示す。図１０は、図８および図９に対応する図である。
【００４８】
図１０を参照して、キャリッジ５２に設けられた第二の光照射部５４ｂのみが点灯している。ここで、図１０に示すように原稿３９の中央の領域に折り目６８がある場合、第二の光照射部５４ｂのみによって光を照射しているため、キャリッジ５２の移動方向に対して折り目６８の前側に第二の影７３ｂが生じる。この折り目６８の存在によって中央の領域７２の前側に生じた第二の影７３ｂを含む画像７１ｃが、ＣＣＤセンサー５７によって受光される。このようにして第三の画像情報を取得する。ここで、制御部１２は、第三の画像情報取得部として作動する。なお、この第二の影７３ｂについても、第一の影７３ａと同様に黒い画像で読み取られることとなる。
【００４９】
その後、取得された第一の画像情報、第二の画像情報、および第三の画像情報により、原稿３９の折り目６８に関する情報を導出する（Ｓ１５）。具体的には、まず、第一の画像情報と第二の画像情報との差分を算出する。この場合、第一の影７３ａの画像が差分として算出される。次に、第一の画像情報と第三の画像情報との差分を算出する。この場合、第二の影７３ｂの画像が差分として算出される。そして、算出された差分である第一の影７３ａの画像と第二の影７３ｂの画像との間の領域７２が、原稿３９の折り目６８が存在している領域であると導出される。そして、領域７２の副走査方向の両側が影の生じる領域であると導出される。
【００５０】
その後、折り目６８の存在によって発生していると推測される影の影響をなくすための補正を行う（Ｓ１６）。すなわち、導出した折り目６８の情報を基に読み取られた画像の補正を行う。補正については、例えば、原稿３９の画像が暗く読み取られている部分において、シェーディング補正を行う。また、折り目６８が画像として読み取られている場合、この画像を消去するような補正を行う。
【００５１】
その後、補正された画像情報を基に画像形成部１５により画像を形成し、出力する（Ｓ１７）。
【００５２】
このような画像読み取り装置１４は、取得した第一の画像情報、第二の画像情報、および第三の画像情報により、第一の画像情報と第二の画像情報との差分、および第一の画像情報と第三の画像情報との差分を算出して、原稿３９の折り目６８に関する情報を導出することができる。したがって、原稿３９の折り目６８に関する情報を高精度に取得することができる。
【００５３】
また、このようなデジタル複合機１１は、原稿３９の折り目６８に関する情報を高精度に取得することができる画像読み取り装置１４を含むため、精度の高い画像形成を行うことができる。
【００５４】
なお、上記の実施の形態においては、第二のスキャン時において、第一の光照射部のみを点灯させ、第二の光照射部を消灯することとしたが、これに限らず、光量の差を設けるよう構成してもよい。すなわち、第二のスキャン時においては、第一の光照射部の光量を高くし、第二の光照射部の光量を低くする。また、第三のスキャン時においては、第一の光照射部の光量を低くし、第二の光照射部の光量を高くする。このように構成してもよい。
【００５５】
また、上記の実施の形態においては、モノクロの画像読み取りの場合について説明したが、これに限らず、カラーの画像読み取りの場合に同様の処理を行ってもよい。
【００５６】
ここで、カラーの画像読み取りの場合については、以下のように構成することにより、一度のスキャンで原稿３９の折り目６８に関する情報を取得することができる。
【００５７】
第一の光照射部５４ａおよび第二の光照射部５４ｂにおいて、レッド（Ｒ）、グリーン（Ｇ）、ブルー（Ｂ）のそれぞれの光源を備える構成とする。すなわち、第一の光照射部５４ａおよび第二の光照射部５４ｂはそれぞれ光の三原色のそれぞれの色の光を個別に照射可能な構成とする。レッドの光源、グリーンの光源、ブルーの光源はそれぞれ、第一の光照射部５４ａおよび第二の光照射部５４ｂの双方において、主走査方向の全域に亘る画像読み取りを可能なように配置されている。
【００５８】
ここで、第一の光照射部５４ａおよび第二の光照射部５４ｂにおいて、第一の光照射部５４ａにおけるレッドの光源からの光量を強くすると共に第二の光照射部５４ｂにおけるレッドの光源からの光量を弱くして、折り目６８の後ろ側にレッドの光源に起因するレッドの影が生じるようにする。一方、第一の光照射部５４ａおよび第二の光照射部５４ｂにおいて、第一の光照射部５４ａにおけるブルーの光源からの光量を弱くすると共に第二の光照射部５４ｂにおけるブルーの光源からの光量を強くして、折り目６８の前側にブルーの光源に起因するブルーの影が生じるようにする。また、グリーンの光源については、第一の光照射部５４ａおよび第二の光照射部５４ｂにおいて、第一の光照射部５４ａにおけるグリーンの光源からの光量と第二の光照射部５４ｂにおけるグリーンの光源からの光量とを等しくする。すなわち、グリーンの光源については、折り目６８によって影が生じないようにする。
【００５９】
すなわち、第一の画像情報取得部は、光の三原色のうちの第一の色、ここでは、グリーンに相当する第一の光を第一の光照射部５４ａおよび第二の光照射部５４ｂから同じ光量で原稿に照射し、原稿からの反射光を受光して原稿の第一の画像情報を取得するよう構成する。また、第二の画像情報取得部は、第一の光照射部５４ａにより光の三原色のうちの第二の色、ここでは、レッドに相当する第二の光を第二の光照射部５４ｂにより照射する光の光量よりも高くして原稿に照射し、原稿からの反射光を受光して原稿の第二の画像情報を取得するよう構成する。また、第三の画像情報取得部は、第二の光照射部５４ｂにより光の三原色のうちの第三の色、ここではブルーに相当する第三の光を第一の光照射部５４ａにより照射する光の光量よりも高くして原稿に照射し、原稿からの反射光を受光して原稿の第三の画像情報を取得する。
【００６０】
図１１は、カラーの画像読み取りのスキャン時における原稿３９の状態と得られる画像との関係を示す図である。図１１中の上側で、原稿３９の断面を示し、図１１中の下側で、得られる画像７１ｄを示す。図１１は、図８〜図１０に対応する図である。
【００６１】
図１１を参照して、原稿３９の中央の領域７２に折り目６８がある場合、取得したレッドの光源に起因する画像には、折り目６８の後ろ側に影７４ａが生じている。また、取得したブルーの光源に起因する画像には、折り目の前側に影７４ｂが生じている。
【００６２】
ここで、レッドの光源に起因する画像において、折り目６８の後ろ側に生じた影７４ａの画像については、レッドの光源に関する情報およびグリーンの光源の光源に関する情報から、影７４ａであるか否かが判定される。すなわち、グリーンの光源に起因する画像において、影が生じていないにも関わらず、レッドの光源に起因する画像において、影７４ａが生じたとすれば、この差分により、影７４ａが折り目の存在によって生じたものと判定することができる。また、ブルーの光源に起因する画像において、折り目６８の前側に生じた影７４ｂの画像については、ブルーの光源に関する情報およびグリーンの光源の光源に関する情報から、影７４ｂであるか否かが判定される。すなわち、グリーンの光源に起因する画像において、影が生じていないにも関わらず、ブルーの光源に起因する画像において、影７４ｂが生じたとすれば、この差分により、影７４ｂが折り目の存在によって生じたものと判定することができる。そして、影７４ａと影７４ｂとの間に折り目６８が存在していることを判定することができる。
【００６３】
このような構成によれば、一度のスキャンで折り目の情報を取得することができるため、効率よく原稿の折り目の情報を取得することができる。
【００６４】
なお、上記の実施の形態において、原稿の画像の読み取り面に垂直な第一の平面に対する第一の光照射部から照射する光の角度と、第一の平面に対する第二の光照射部から照射する光の角度とを等しくすることとしたが、これに限らず、双方の角度が異なっていてもよい。
【００６５】
また、上記の実施の形態において、ＣＣＤセンサーとしての受光部は、第一の光照射部と第二の光照射部との双方からの反射光を受光することとしたが、これに限らず、受光部を二つ設け、それぞれについて、第一の光照射部からの反射光と第二の光照射部からの反射光とを受光するよう構成してもよい。
【００６６】
なお、上記の実施の形態において、載置台に載置された原稿の折り目の情報を取得することとしたが、これに限らず、ＡＤＦによって搬送された原稿の折り目の情報を取得するようにしてもよい。
【００６７】
今回開示された実施の形態および実施例はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００６８】
この発明に係る画像読み取り装置、および画像形成装置は、原稿の折り目の情報の高精度な取得が要求される場合に、特に有効に利用される。
【符号の説明】
【００６９】
１１  デジタル複合機、１２  制御部、１３  操作部、１４  画像読み取り装置、１５  画像形成部、１６  ハードディスク、１７  ファクシミリ通信部、１８  ネットワークインターフェース部、１９  用紙セット部、２１  表示画面、２２  ＡＤＦ、２３ａ，２３ｂ，２３ｃ  給紙カセット、２４  公衆回線、２５  ネットワーク、２６ａ，２６ｂ，２６ｃ  コンピューター、２７  画像形成システム、２８  手差しトレイ、２９  給紙カセット群、３０  排出トレイ、３１  テンキー、３２  スタートキー、３３  電源キー、３４  メニューキー、３５  登録キー、３６  リセットキー、３７，３９  原稿、３８，６３  読み取り位置、４１  原稿セット台、４２  ピックアップローラー、４３  分離ローラー、４４，４５，４６  搬送ローラー、４７  排紙ローラー、４８  排紙トレイ、５１  載置台、５２  キャリッジ、５３  筐体、５４ａ，５４ｂ  光照射部、５５  ミラー、５６  レンズ、５７  ＣＣＤセンサー、５８  基準板、５９  ガラス板、６１  基準位置、６２ａ，６２ｂ  ガイドレール、６４  読み取り面、６５  平面、６６  端部、６７ａ，６７ｂ，７２  領域、６８  折り目、７１ａ，７１ｂ，７１ｃ，７１ｄ  画像、７３ａ，７３ｂ，７４ａ，７４ｂ  影。
【図１】
0006327176.tif 000002
【図２】
0006327176.tif 000003
【図３】
0006327176.tif 000004
【図４】
0006327176.tif 000005
【図５】
0006327176.tif 000006
【図６】
0006327176.tif 000007
【図７】
0006327176.tif 000008
【図８】
0006327176.tif 000009
【図９】
0006327176.tif 000010
【図１０】
0006327176.tif 000011
【図１１】
0006327176.tif 000012